(57)【特許請求の範囲】
【請求項１】
移動する織物を浮かせて乾燥するための複数の上部空気棒に空気を供給するための一対の上部フインガダクトを備える上部ヘッダ組立体と、
前記一対の上部フインガダクトに空気を受けるようにしておのおの通じる複数の上部空気棒と、
供給ファンに空気を受けるようにして通じ、かつ前記一対の上部フインガダクトに空気を供給するようにして通じる上部交差ダクトと、
前記一対の上部フインガダクト内部の圧力差を制御し、それによって織物の移動が補償されることができる前記上部交差ダクト内の上部ダンパ手段とを備え、さらに、
移動する織物を浮かせて乾燥するための複数の下部空気棒に空気を供給するための一対の下部フインガダクトを備える下部ヘッダ組立体と、
前記一対の下部フインガダクトに空気を受けるようにしておのおの通じる複数の下部空気棒と、
供給ファンに空気を受けるようにして通じ、かつ前記一対の下部フインガダクトに空気を供給するようにして通じる下部交差ダクトと、
前記一対の下部フインガダクト内部の圧力差を制御し、それによって織物の移動が補償されることができる前記下部交差ダクト内の下部ダンパ手段とを備える、
移動する織物を浮かせて乾燥するための乾燥機ハウジング。
【請求項２】
前記上部ダンパ手段が、ダンパ羽根を備え、該ダンパ羽根が、前記上部交差ダクト内に回転するようにして固定され、かつ前記複数の上部空気棒と通じる前記一対の上部ダクトにおける供給空気の圧力を調整するように動作可能である請求項１に記載の乾燥機ハウジング。
【請求項３】
前記下部ダンパ手段が、ダンパ羽根を備え、該ダンパ羽根が、前記下部交差ダクト内に回転するようにして固定され、かつ前記複数の下部空気棒と通じる前記一対の下部ダクトにおける供給空気の圧力を調整するように動作可能である請求項１に記載の乾燥機ハウジング。
【請求項４】
前記上部交差ダクトに固定された前記ダンパ羽根を作動させる手段を更に備え、その作動手段は、前記乾燥機ハウジングの内部に延長する第１の棒を備え、前記第１の棒は前記ダンパ羽根に固定されている第２の棒に回転するようにして連結される請求項２に記載の乾燥機ハウジング。
【請求項５】
前記下部交差ダクトに固定された前記ダンパ羽根を作動させる手段を更に備え、その作動手段は、前記乾燥機ハウジングの内部に延長する第１の棒を備え、前記第１の棒は前記ダンパ羽根に固定されている第２の棒に回転するようにして連結される請求項３記載の乾燥機ハウジング。
【請求項６】
空気の供給を、上部交差ダクトを含む上部ヘッダ組立体に行うことと、
前記上部交差ダクトからの前記空気を、複数の空気棒のおのおのに空気を供給するように通じている一対の上部フインガダクトに供給することと、
前記織物を前記複数の空気棒によって発生された空気のクッション圧の上に浮かせることと、
前記一対の上部フインガダクト間に圧力差を作り出すように、前記上部交差ダクト内のダンパ手段を用いて、前記上部フインガダクトに供給される圧縮空気の量を前記浮いている織物の移動に応答して調整することと、
空気の供給を、下部交差ダクトを含む下部ヘッダ組立体に行うことと、
前記下部交差ダクトからの前記空気を、複数の空気棒のおのおのに空気を供給するように通じている一対の下部フインガダクトに供給することと、
前記織物を前記複数の空気棒によって発生された空気のクッション圧の上に浮かせることと、
前記一対の下部フインガダクト間に圧力差を作り出すように、前記下部交差ダクト内のダンパ手段を用いて、前記下部フインガダクトに供給される圧縮空気の量を前記浮いている織物の移動に応答して調整することと、
を備える移動する織物を浮かして案内する方法。
【請求項７】
前記浮いている織物の位置を検出することを更に備え、
前記一対の上部および下部フインガダクトに供給される圧縮空気の量を調整することを、前記浮いている織物の前記検出位置に応答して行なう、
請求項６に記載の移動する織物を浮かして案内する方法。
【請求項８】
前記浮いている織物の前記位置を光センサで検出する請求項７に記載の方法。
【請求項９】
織物乾燥機であって、
それぞれ歯車側およびオペレータ側を有する上部ヘッダ組立体および下部ヘッダ組立体を備え、前記各ヘッダ組立体が、一対のフインガダクトを備え、各フインガダクトが、空気流を受けかつ空気流が複数の空気棒に通じるように構成され、前記フインガダクトの各対が、乾燥機の前記歯車側に近接するフインガダクトおよび乾燥機の前記オペレータ側に近接するフインガダクトを有し、前記各ヘッダ組立体がさらに、複数の空気棒を備え、該空気棒が、前記フインガダクト対に取り付けられ、かつ前記上部ヘッダ組立体と前記下部ヘッダ組立体との間で移動する織物を浮かして支持するために、空気が流れるように前記フインガダクト対に通じ、前記各ヘッダ組立体がさらに、交差ダクトを備え、該交差ダクトが、前記各フインガダクト対と空気が流れるように通じ、かつ空気供給ファンから前記各フインガダクト対に空気を供給するように動作可能であり、前記各ヘッダ組立体がさらに、ダンパを備え、該ダンパが、前記フインガダクト対内の圧力差および前記フインガダクト対間の圧力差を制御し、それによって前記乾燥機の歯車側とオペレータ側との間の織物の移動が制御されることができる、織物乾燥機。
【請求項１０】
前記交差ダクト内に回転するようにして固定されるダンパ羽根をさらに備える請求項９に記載の織物乾燥機。
【請求項１１】
前記ダンパ羽根が、第１の垂直位置から第２の水平位置に移動するように動作可能であり、それによって前記フインガダクト対内の圧力差および前記フインガダクト対間の圧力差が制御される請求項１０に記載の織物乾燥機。
【請求項１２】
前記ダンパ羽根が、前記ダンパ羽根に回転するようにして連結される棒を備える作動手段によって制御される請求項１１に記載の織物乾燥機。
【請求項１３】
前記作動手段が、織物の移動の結果として生成される電気信号に応答可能である請求項１１に記載の織物乾燥機。
【請求項１４】
前記空気棒が、コアンダ棒を備える請求項１３に記載の織物乾燥機。
【発明の詳細な説明】
【０００１】
【発明の属する技術分野】
本発明は、織物を浮かせて乾燥する応用例に通常使用するための、織物ガイドを組み込んだ乾燥機ヘッダ装置に関するものである。
【０００２】
【従来の技術】
従来の空気棒および空気ダクト送り出し装置は、ダクト送り出し装置内に小さい妨害が存在しても、織物に対する一様な空気の流れが得られるように構成されている。一様でない空気送りは望ましくないと一般的に考えられている。なぜならば、一様でない空気送りによって織物に乾燥筋が生じたり、空気棒の表面から織物までの間隙が適切でなくなったり、織物の浮上が適切でなくなったり（たとえば、織物がはためく）することの少なくとも一つが生じるからである。したがって、ダクト送り出し装置に通じている二つ以上の空気受けポートを有する従来の空気バーにおいては、他のポートに供給される空気の圧力とは異なる圧力で空気があるポートに供給されるものとすると、二つの異なる供給空気が空気棒の内部室で混合されて、一様な圧力の空気が織物に送り出されるように空気棒が構成される。
【０００３】
また、浮いている織物が空気棒の縁部に接近するにつれて、織物の浮きを押さえる圧力パッドが織物をはためかせる。この現象はヨットの結びつけられていない帆の縁部に類似し、浮動乾燥では望ましくない。したがって、織物は空気棒の縁部から約１〜４インチ離れて通常配置される。
【０００４】
しかし、乾燥作業中に織物が動く（シフトする）原因とは無関係に、その動きを絶えず制御すなわち補償することが望ましい。
【０００５】
【発明が解決しようとする課題】
したがって、本発明の目的はそのような織物の移動（シフト）を補償することである。
【０００６】
本発明の別の目的は所与の空気棒を供給する二つのダクトの間の圧力差を制御する装置を得ることである。
【０００７】
【課題を解決するための手段】
従来技術の問題は、織物を適切に浮かせて乾燥させるために必要なクッション圧力および浮動技術を乱すことなしに織物の移動を避けまたは補償するように、空気棒に供給し、それに続いて織物に当たる空気供給源の圧力を制御する、本発明によって解決された。更に詳しくいえば、第１のダクトと第２のダクトに空気を供給するヘッダ装置の内部にダンパすなわち弁が配置され、それらのダクトは各空気棒に空気を供給する。ダンパを適切に調整することによって各ダクトの内部の供給空気の圧力を調整し、織物の移動を補償し、または織物の移動が起きることを最少にしまたは阻止する。
【０００８】
【発明の実施の形態】
まず、上部ヘッダ組立体１１と下部ヘッダ組立体１２を１０で全体的に示す図１と図２を参照する。動いている織物を浮かして乾燥させるために、各組立体は複数の空気棒またはノズル（図示せず）を受け、および一対のフィンガダクト３０、３１を介して空気が流れるように複数の空気棒またはノズルに通じるようにされる。本発明は使用する特定の任意の種類に限定されるものではないが、空気棒は、米国コネチカット州のＷ．Ｒ．Ｇｒａｃｅ  ＆  Ｃｏ．から市販されているＨｉ−Ｆｌｏａｔ(R) 空気棒などのコアンダ（Ｃｏａｎｄａ）型が好ましい。
各空気棒は、一対の空気受けポートを有し、該空気受けポートは各フィンガダクト３０、３１におけるポート１９ａ、１９ｂ、１９ｃを介してヘッダ組立体１１または１２に空気が漏れないようにして連結されるように構成されている。各空気バーは二つのフィンガダクトを越えて延び、それらのフィンガダクトから空気の供給を受ける。したがって各空気棒は二つのポートを含む。各ポートは二つのフィンガダクトのおのおのにおけるポートに対応する。
【０００９】
上部と下部の各ヘッダ装置は二つのフィンガダクト３１、３２を含む。それらのフィンガダクトは空気棒に上記のようにして直接空気供給する。フィンガダクト３０は乾燥機の歯車側Ａに近く、フィンガダクト３１は乾燥機のオペレータ側Ｂに近い。一対のフィンガダクト３０、３１の背後に交差（クロスオーバ）ダクト３３が配置される。その交差ダクト３３は、圧縮空気を交差ダクトに供給する供給ファン（図示せず）に通じる。交差ダクトは圧縮空気をフィンガダクト３０、３１に供給し、最終的に複数の空気棒に供給する。
【００１０】
乾燥機のオペレータ側Ｂにオペレータが接近できるダンパアクチュエータ１３が配置される。このダンパアクチュエータには可動レバー１４が設けられる。図３と図６に最も良く見られるように、レバー１４は第１の強固な丸棒１５に連結される。その丸棒は乾燥機の外囲器の内部に延長する。レバー１４が動くと第１の丸棒１５を回転運動させる。第１の丸棒１５の末端部がマイタ歯車１７ａ、１７ｂを介して第２の丸棒１６に連結される。図４に最も良く見られるように、第２の丸棒は第１の丸棒１５に垂直に配置される。第１の丸棒１５の前記回転運動によって第２の丸棒１６がマイタ歯車１７ａ、１７ｂを介して同様に回転運動される。
【００１１】
第２の丸棒１６にダンパ羽根１８が連結される。そのダンパ羽根は低炭素の平板で製作することが好ましい。図５に示すように、ダンパ羽根１８の長さに沿ってＶ形溝が形成される。その溝には丸棒１６が受けられ、溶接などによってその丸棒はその溝に固定される。丸棒１６が回転運動すると、それに固定されているダンパ羽根１８が回転運動される。フィンガダクト３０、３１に空気を供給するように通じている各交差ダクト３３内にダンパ羽根１８が配置される。ダンパ羽根１８が完全に開かれているすなわち水平位置にあると、交差ダクト３３への、およびその後でフィンガダクト３０、３１への空気の供給はダンパ羽根１８によってほとんど影響を受けない。しかし、織物が移動すると、垂直方向のダンパ羽根１８の運動によってフィンガダクト３０とフィンガダクト３１の間に圧力差が生じる。その圧力差は織物の移動を補償する。したがって、各フィンガダクト３０、３１へ供給される空気の量を、人によって観察されたり、自動的に検出される織物の移動の発生を基にして調整できる。
【００１２】
第１の丸棒１５と第２の丸棒１６のそれぞれの相対的な位置は乾燥機の外囲器の内部におけるダクトの場所と、そのための作動組立体の場所とによって定められることを当業者は理解すべきである。レバー１４を含む作動組立体にオペレータは容易に接近（アクセス）できなければならない。また、上部ヘッダ装置と下部ヘッダ装置の一方または両方がダンパ組立体を含むことができること、およびそれらのヘッダ装置は個々に制御できること、または単一のアクチュエータによって制御できることを当業者は理解すべきである。たとえば、図７は、上部ヘッダ装置と下部ヘッダ装置の両方にダンパ組立体が設けられることを示す。そうすると、図２に示す例におけるように、上部ヘッダ装置は強固な丸棒１６に連結されているダンパ羽根１８を含む。その丸棒１６は強固な丸棒１５に連結される。同様に、下部ヘッダ装置は強固な丸棒１６′に連結されているダンパ羽根１８′を含む。その丸棒１６′は強固な丸棒１５′に連結される。各棒１５、１５′は図示のようにアクチュエータ５０に連結される。
【００１３】
ダンパ組立体は従来のアクチュエータモータを用いて自動的に駆動される。そのモータは手動入力、または織物が移動した結果として発生された電気信号に応答する。たとえば、赤外線センサなどの従来の光センサを用いて織物が移動した時を検出できる。３０％またはそれ以上の移動などの、修正を求める織物の移動が生じると、赤外線センサは信号をアクチュエータモータに送ることができる。そうすると移動が、３０％より小さい値などの、設定点値より小さくなるまで、ダンパは動かされる。ダンパの動きは段階的であることが好ましい。上部ダンパと下部ダンパは、同じ信号の結果として動かすことができ、または別々の信号を受けることによって独立に動かすことができる。
【００１４】
あるいは、ダンパを手動で制御できる。オペレータは織物案内指示器を監視し、アクチュエータを作動させるスイッチ手動で制御する、織物の移動の修正がもはや不要であることを織物案内指示器が指示した時に、そのスイッチは開かれる。
【図面の簡単な説明】
【図１】調整できるダンパを有する本発明のヘッダ組立体の側断面図である。
【図２】図１に示す本発明のヘッダ装置の正面断面図である。
【図３】図２の線Ｆ−Ｆに沿うダンパ作動組立体の一部の断面図である。
【図４】図２の線Ｅ−Ｅに沿うダンパ作動組立体の別の部分の断面図である。
【図５】ダンパ作動組立体に連結されている本発明のダンパ羽根の断面図である。
【図６】図１に示す本発明の上部ヘッダ組立体の底面断面図である。
【図７】図１に示す本発明の別の実施例のヘッダ装置の正面断面図である。
【符号の説明】
１０  ヘッダ組立体
１１  上部ヘッダ組立体
１２  下部ヘッダ組立体
１３  ダンパアクチュエータ
１４  可動レバー
１９ａ、１９ｂ、１９ｃ  ポート
３０、３１  フィンガダクト
３３  交差ダクト
【図１】
0003703558.tif 000002
【図２】
0003703558.tif 000003
【図３】
0003703558.tif 000004
【図４】
0003703558.tif 000005
【図５】
0003703558.tif 000006
【図６】
0003703558.tif 000007
【図７】
0003703558.tif 000008